(57)【要約】  【課題】  コンタクトガラス上の汚れを簡単且つ確実に清掃できる画像読取装置を提供する。  【解決手段】  コンタクトガラス２４に対して開閉される原稿押さえ２８の上面にポケット（収納部）１６が形成され、このポケット１６は蓋１７で開閉される。ポケット１６内には、コンタクトガラス２４上の汚れを清掃するための不織布１５が収納されている。【選択図】      図３
2005117351.tif 000002
【特許請求の範囲】
【請求項１】
原稿が載置されるコンタクトガラスと、一端を支軸に回動され前記コンタクトガラスを開閉する原稿押さえと、前記コンタクトガラスの下方から光を照射する光源と、この光源から照射されて前記原稿の画像面で反射した光を反射させ集光する光学系と、この光学系で集光された光を受光して電気信号に変換する固体撮像部と、を備えた画像読取装置において、
前記コンタクトガラス上の汚れを清掃するための清掃部材が外部から取り出し可能に収納された収納部を有することを特徴とする画像読取装置。
【請求項２】
前記コンタクトガラスの清掃の必要性を報知する報知手段を備えていて、
前記原稿押さえが閉じられ且つ前記コンタクトガラス上に原稿が不在した状態で、前記光源から光が照射され、前記固体撮像部が前記原稿押さえの内面からの反射光を前記光学系を通じて受光して前記コンタクトガラス上の汚れの有無を検出し、この検出結果が汚れ有りのときに、前記報知手段が駆動されることを特徴とする請求項１に記載の画像読取装置。
【請求項３】
前記清掃部材が不織布であることを特徴とする請求項１又は２に記載の画像読取装置。
【発明の詳細な説明】
【技術分野】
【０００１】
本発明は、スキャナとして単体で用いられたり、複写機やファクシミリ等に搭載されたりして、原稿の画像を読み取る画像読取装置に関する。
【背景技術】
【０００２】
従来一般の画像読取装置は、原稿が載置されるコンタクトガラスを上面に有する箱型のハウジングで外形が構成される。このハウジングの内部には、大きくは、コンタクトガラスの下方から光を照射する光源と、この光源から照射されて原稿の画像面で反射した光を反射させ集光する光学系と、この光学系で集光された光を受光して電気信号に変換する固体撮像部と、が収容されている。
【０００３】
このような構成のもと、コンタクトガラス上の原稿の画像面に向けて光源から光が照射され、その原稿反射光が光学系を通じて固体撮像部に導かれ、この固体撮像部で原稿画像が電気信号として取得される（読み取られる）。
【０００４】
一方、ハウジングの上方には、ハウジングに対して一端を支軸に回動可能に原稿押さえが設けられている。この原稿押さえは、コンタクトガラスに対して閉じて外乱光を遮蔽しつつ原稿の読取動作がなされる閉状態と、コンタクトガラスに対して開いた開状態とを取り得る。
【０００５】
ここで、原稿押さえには、コンタクトガラスにおける画像読取位置に原稿を搬送するための原稿搬送部が搭載されたものがあり、このような原稿押さえを備えた画像読取装置では、原稿押さえを閉じたままで原稿搬送部よって原稿を搬送して読み取るシートスルー方式と、読み取る毎に原稿押さえを開閉してコンタクトガラス上の原稿を１枚ずつ取り替える原稿固定方式と、の２種類の方式での読み取りが可能である。
【０００６】
ところで、コンタクトガラス上には、原稿押さえの原稿搬送部を構成する搬送ローラから生じたローラ紛や、外部からの塵や埃といった異物が不用意に落下して付着し、これが汚れとなって滞留する場合がある。この汚れは、取得の原稿画像に画質の品位低下をもたらす。
【０００７】
このようにコンタクトガラス上に汚れが生じた場合には、その汚れのもとである異物をティッシュペーパー等で拭き取ったり擦り取ったりして清掃するのが一般的である。しかし、清掃用のティッシュペーパー等が画像読取装置の近辺にあれば、直ぐにコンタクトガラス上の清掃が行えるが、そもそもこのような清掃作業は画像読取装置を使用する上での本来の作業ではないため、清掃用のティッシュペーパー等が画像読取装置の近辺にない場合には、わざわざそれを探して取りに行く必要があることから、疎かになりがちである。
【０００８】
このような不都合に対し、従来の画像読取装置では、特に原稿押さえに原稿搬送部を搭載したものにおいて、搬送中の原稿とコンタクトガラスにおける画像読取位置との間に、原稿に接触しながら移動する透明フィルムを設け、この透明フィルムにより、原稿に付着してこれとともに搬送されるローラ紛を捕捉するようになっている（例えば、特許文献１参照）。つまり、コンタクトガラス上の汚れを引き起こす一因であるローラ紛のコンタクトガラス上への落下を未然に防止するようになっている。
【特許文献１】特開２００２−２１８１６６号公報
【発明の開示】
【発明が解決しようとする課題】
【０００９】
ところが、上記した従来の画像読取装置では、透明フィルム及びこれを駆動する機構が必要となることから、部品点数の増加や機構の複雑化や原稿押さえの大型化を招き、コストアップは否めない。また、コンタクトガラス上の汚れの要因である異物として、ローラ紛には未然の対処ができるものの、これ以外の外部からの塵や埃には未然の対処が困難である。そのため、この塵や埃によってコンタクトガラス上には汚れが生じ、これに対しては、上記した不都合は解消できない。
【００１０】
そこで本発明は、上記の問題に鑑みてなされたものであり、コンタクトガラス上の汚れを簡単且つ確実に清掃できる画像読取装置を提供することを目的とするものである。
【課題を解決するための手段】
【００１１】
上記目的を達成するため、本発明による画像読取装置は、原稿が載置されるコンタクトガラスと、一端を支軸に回動され前記コンタクトガラスを開閉する原稿押さえと、前記コンタクトガラスの下方から光を照射する光源と、この光源から照射されて前記原稿の画像面で反射した光を反射させ集光する光学系と、この光学系で集光された光を受光して電気信号に変換する固体撮像部と、を備えた画像読取装置において、前記コンタクトガラス上の汚れを清掃するための清掃部材が外部から取り出し可能に収納された収納部を有する。
【００１２】
これにより、コンタクトガラス上の汚れを清掃する際、画像読取装置の収納部から直ちに清掃用の清掃部材を取り出して、その汚れの清掃が行える。
【００１３】
ここで、画質の品位が低下した原稿画像の取得を最小限に抑える観点から、適正なタイミングでコンタクトガラス上の汚れの清掃を行うために、前記コンタクトガラスの清掃の必要性を報知する報知手段を備えていて、前記原稿押さえが閉じられ且つ前記コンタクトガラス上に原稿が不在した状態で、前記光源から光が照射され、前記固体撮像部が前記原稿押さえの内面からの反射光を前記光学系を通じて受光して前記コンタクトガラス上の汚れの有無を検出し、この検出結果が汚れ有りのときに、前記報知手段が駆動されるようになっているとよい。
【００１４】
また、コンタクトガラス上の汚れを効率良く清掃できるように、前記清掃部材が不織布であることが好ましい。
【発明の効果】
【００１５】
本発明の画像読取装置によれば、コンタクトガラス上の汚れを清掃する際、画像読取装置の収納部から直ちに清掃用の清掃部材を取り出して、その汚れの清掃が行えるため、簡単且つ確実に清掃できる。
【発明を実施するための最良の形態】
【００１６】
以下に、本発明の実施形態について図面を参照しながら詳述する。先ず、本発明の第１実施形態である画像読取装置について説明する。図１は第１実施形態の画像読取装置が搭載された画像形成装置の要部外観を示す斜視図であって、図１（ａ）は原稿押さえを閉じた状態を示し、図１（ｂ）はその原稿押さえを開いた状態を示す。図２はその画像形成装置の内部構成を示す縦断面図、図３はその画像読取装置における原稿押さえの外観を示す斜視図であって、図３（ａ）は収納部の蓋を閉じた状態を示し、図３（ｂ）はその蓋を開いた状態を示す。
【００１７】
図１及び図２に示すように、画像形成装置１００はデジタル複写機であって、大きくは、画像形成側ハウジング２０と、その上部に配設された画像読取側ハウジング２１とよりなる。この画像読取側ハウジング２１には、原稿の画像を電気信号として読み取るための後述する各種機構が設けられ、他方、画像形成側ハウジング２０には、読み取った原稿画像の電気信号に基づいてシートに画像を転写するための後述する各種機構が設けられている。
【００１８】
画像読取側ハウジング２１の上面には、透明なガラス板からなるコンタクトガラス２４が設けられ、その正面側に表出して、複数よりなる操作キー２５やタッチパネルも兼ねる液晶表示部２６が配設されている。更に、画像読取側ハウジング２１の上方には、コンタクトガラス２４における画像読取位置Ｒに原稿を搬送するための詳細は後述する原稿搬送部２７を搭載した原稿押さえ２８が、ヒンジ部２３によって開閉自在に支持されている。つまり原稿押さえ２８は、コンタクトガラス２４に対して閉じて原稿の読取動作がなされる閉状態（図１（ａ）及び図２参照）と、コンタクトガラス２４に対して開いた開状態（図１（ｂ）参照）とを取り得る。
【００１９】
ここで、画像形成装置１００は、原稿押さえ２８を閉じたままで原稿搬送部２７よって原稿を自動的に搬送して読み取るシートスルー方式と、読み取る毎に原稿押さえ２８を開閉してコンタクトガラス２４上の原稿を１枚ずつ取り替える原稿固定方式と、の２種類の方式での読み取りが可能である。なお、前者のシートスルー方式では、画像読取側ハウジング２１に設けられている詳細は後述の光学系が走査移動することなく、所定位置に保持されたまま原稿の読取動作が行われ、他方、後者の原稿固定方式では、その光学系が走査移動しながら読取動作が行われる。
【００２０】
引き続き、シートスルー方式にまつわる原稿搬送部２７に関連する構成を説明する。原稿搬送部２７は、大きくは、供給される原稿が積載される原稿給紙トレイ２９と、コンタクトガラス２４における画像読取位置Ｒの上方に位置し原稿給紙トレイ２９が突設された原稿カバー３０と、この原稿カバー３０の側方で原稿押さえ２８の上面の一部に直付けで形成された原稿排紙トレイ３１と、よりなり、原稿給紙トレイ２９から原稿カバー３０内を経て原稿排紙トレイ３１に亘り、原稿搬送路ｄ（図２中、二点鎖線で図示）が画成される。
【００２１】
原稿カバー３０内には、原稿搬送路ｄに沿って、上流側から順に、ピックアップローラ３２、搬送ローラ対３３、レジストローラ対３４、及び排出ローラ対３５が設けられている。これらは一群の搬送ローラを形成しており、原稿を円滑に受け渡していけるように、それぞれの外周部は例えばゴム製である。また、これらのうちで搬送ローラ対３３は、駆動ローラ３３ａと分離ローラ３３ｂとから構成されていて、分離ローラ３３ｂは回転負荷が所定トルクを下回る場合のみ駆動ローラ３３ａと逆方向に回転し、回転負荷が所定トルクを上回る場合には駆動ローラ３３ａと従動回転するようになっている。
【００２２】
レジストローラ対３４と排出ローラ対３５の間には、コンタクトガラス２４における画像読取位置Ｒに対向して表出したシェーディング補正用の白基準板３６と、白基準板３６の背後にあって白基準板３６を画像読取位置Ｒに向けて押圧するための原稿押圧部３６ａと、が設けられている。なお、原稿搬送路ｄは搬送ローラ対３３から画像読取位置Ｒに至る間において反転するように湾曲している。
【００２３】
また、原稿搬送路ｄには、原稿の存否を検知するための複数のセンサが適所に設けられている。例えば、原稿給紙トレイ２９の中央部には原稿検知センサＳ１が、搬送ローラ対３３の下流側には給紙センサＳ２が、排出ローラ対３５の下流側には排出センサＳ３が、それぞれ設けられている。
【００２４】
このようなシートスルー方式の原稿搬送部２７による原稿搬送動作について、以下に説明する。原稿給紙トレイ２９に画像面を上向きにセットされた複数枚の原稿は、ばね部材３７ａによって上向きに付勢されたセット原稿押さえ部材３７により、所定の圧力でピックアップローラ３２に押しつけられる。ここで操作キー２５のうちのコピー開始キーがオンされると、ピックアップローラ３２及び搬送ローラ対３３が回転駆動される。
【００２５】
原稿給紙トレイ２９にセットされた原稿は、ピックアップローラ３２によって通常上段の複数枚が搬送ローラ対３３に送られる。搬送ローラ対３３に送られた複数枚の原稿は、分離ローラ３３ｂにより最上の１枚のみが分離されてレジストローラ対３４に向けて搬送される。その際、その原稿の先端が給紙センサＳ２によって検出されてから所定の距離だけその原稿が搬送された後、搬送ローラ対３３の駆動ローラ３３ａ及びピックアップローラ３２の回転駆動が停止され１次給紙が終了する。その１次給紙の原稿は、その先端がレジストローラ対３４のニップ部に押圧され、且つその先端部に撓みが形成された状態で停止させられる。
【００２６】
１次給紙が終了してから所定時間経過後、２次給紙が開始される。つまり、再びレジストローラ対３４が回転駆動される。原稿は、レジストローラ対３４により、画像読取位置Ｒを経て排出ローラ対３５に向けて搬送された後、最終的には排出ローラ対３５によって原稿排紙トレイ３１上に排出される。その際、排出センサＳ３により原稿の後端通過を検知したことによって、原稿１枚の画像読み取りの完了を検出するようになっている。ここで排出センサＳ３は、原稿の給紙搬送完了毎に原稿枚数を計数するカウント機能を有しており、原稿検知センサＳ１が後続の原稿を検知していれば、２枚目以降の原稿搬送が上記と同様に続行される。なお、原稿は、画像読取位置Ｒを通過する際に、白基準板３６と原稿押圧部３６ａによってコンタクトガラス２４に向けて軽く押圧されながら搬送され、その原稿の画像が画像読取位置Ｒを通じて読み取られるようになっている。
【００２７】
続いて、原稿の画像を電気信号として読み取るために、画像読取側ハウジング２１内に設けられた各種機構の構成について、主として図２を参照しながら以下に説明する。画像読取側ハウジング２１内には、コンタクトガラス２４の下方から原稿の画像面に向けて光を照射するＬＥＤアレイや蛍光管ランプ等の光源１と、この光源１からの光を効率良く原稿の画像面に与えるための反射板２と、原稿の画像面で反射された原稿反射光を直接に受けて反射させる第１ミラー３と、この第１ミラー３からの反射光を受けて反射させる第２ミラー４と、この第２ミラー４からの反射光を受けて反射させる第３ミラー５と、この第３ミラー５からの反射光を導入して集光するレンズ群（不図示）を保持した鏡胴６と、この鏡胴６内のレンズ群で集光された原稿反射光を受光して電気信号に変換するＣＣＤ等の固体撮像部７と、が収容されている。これらのうちで第１〜第３ミラー３〜５、及び鏡胴内６のレンズ群より、本発明で言う光学系が構成される。なお、図２において、原稿反射光の光路を一点鎖線で示す。
【００２８】
ここで、光源１、反射板２及び第１ミラー３は第１キャリッジ８上に一体的に固定され、また、第２ミラー４及び第３ミラー５は第２キャリッジ９上に一体的に固定されており、これらの第１キャリッジ８と第２キャリッジ９は、相互に独立しているが連帯してコンタクトガラス２４に沿って往復移動可能になっている。つまり、上記のシートスルー方式で原稿画像の読取動作が行われる際は、第１キャリッジ８が画像読取位置Ｒの直下に移動して保持されるとともに、第２キャリッジ９が所定位置に保持され（図２参照）、他方、原稿固定方式の際は、第１キャリッジ８と第２キャリッジ９は相互に原稿反射光の光路長を一定に維持しながら往復移動（走査移動）する。
【００２９】
また、鏡胴６及び固体撮像部７は、原稿反射光の結像位置が固体撮像部７の光電変換素子上に一致するよう調整された状態で、ベースプレート１０上に取り付けられている。
【００３０】
このような構成のもと、光源１から照射されて原稿の画像面で反射した原稿反射光は、第１〜第３ミラー３〜５で反射して鏡胴６内のレンズ群に導入され、レンズ群で集光されて固体撮像部７の光電変換素子上に結像される。そして、この固体撮像部７で光電変換処理がなされ、原稿画像は電気信号として取得される（読み取られる）。従って、本実施形態では、画像読取側ハウジング２１、及びこれが備えた上記の各種機構より画像読取装置が構成される。
【００３１】
続いて、読み取った原稿画像の電気信号に基づいてシートに画像を転写するために、画像形成側ハウジング２０内に設けられた各種機構の構成について、主として図２を参照しながら以下に説明する。画像形成側ハウジング２０内には、給紙部４０、画像形成部５０等を備えている。
【００３２】
具体的には、給紙部４０は、用紙やＯＨＰ用フィルム等のシートが収納された複数の給紙トレイ４１、各給紙トレイ４１からシートを送り出す給紙ローラ４２、各給紙ローラ４２から送り出されたシートの重送を防止するための捌きローラ対４３、各捌きローラ対４３を経たシートを搬送する複数の送りローラ対４４、各送りローラ対４４から供給されたシートを受けタイミングを取りながら画像形成部５０に送り出すレジストローラ対４５等よりなる。
【００３３】
画像形成部５０は、感光体ドラム５１、この感光体ドラム５１の表面を均一に帯電させる帯電部５２、この感光体ドラム５１の表面に固体撮像部７で読み取った原稿画像の画像データに基づく静電潜像を画成させる露光部５３、この感光体ドラム５１の表面にトナーを付着させトナー顕像を形成させる現像部５４、レジストローラ対４５から送り出されたシートにトナー顕像を転写させる転写部５５、感光体ドラム５１の表面の残存トナーを除去するクリーニング部５６、感光体ドラム５１の表面を除電する除電部５７、シートに転写されたトナー像を加圧・加熱して定着させシート上に画像を形成させる定着部５８等から構成されている。
【００３４】
このような構成のもと、給紙トレイ４１から供給されたシートは、レジストローラ対４５により画像形成部５０の転写部５５に送られ、感光体ドラム５１の表面に形成されたトナー顕像が転写される。次いで、定着部５８でそのトナー像が定着されて、シートの表面に画像が形成、すなわち印刷される。そして、排出ローラ対４６を経て、画像形成側ハウジング２０の外部に排出される。
【００３５】
ところで、本実施形態では、原稿押さえ２８に原稿搬送部２７を搭載しているため、ピックアップローラ３２、搬送ローラ対３３、及びレジストローラ対３４といった搬送ローラと、搬送中の原稿とが擦れ合って、異物であるローラ紛が生じ易い。そしてこのローラ紛は、搬送中の原稿に付着してこれとともに搬送され、コンタクトガラス２４上に不用意に落下して付着し、これが汚れとなって滞留する場合がある。また、外部からの塵や埃といった異物が不用意に付着して、コンタクトガラス２４上の汚れとなる場合もある。このような汚れは、シートスルー方式の読み取りでは取得の原稿画像に対して走査方向で黒い線いわゆる黒スジとなって現れ、他方原稿固定式の読み取りでは黒い点となって現れる。つまり、取得の原稿画像に画質の品位低下をもたらす。
【００３６】
そこで、本実施形態の画像形成装置１００（画像読取装置）では、このような事態に対しての工夫が施されている。つまり、図１及び図３に示すように、原稿押さえ２８の正面側であってその上面に開口してポケット１６（図３（ｂ）参照）が形成されていて、このポケット１６は、一端を支軸に回動する蓋１７で開閉されるようになっている。ポケット１６内には、コンタクトガラス２４上の汚れを清掃するための清掃部材である専用の不織布１５が収納されている。不織布１５としては、メガネのレンズ拭きに用いられるような、ポリエステル等の合成繊維が高密度に配列されたものが好ましい。コンタクトガラス２４上の汚れを効率良く清掃できるからである。
【００３７】
このような工夫により、画像形成装置１００で印刷が行われたシートの画像を使用者が見て、黒スジ等の画質低下が発見されたとき、ポケット１６から直ちに清掃用の不織布１５を取り出して、この不織布１５でコンタクトガラス２４上の汚れを拭き取ったり擦り取ったりして、簡単且つ確実に清掃できる。つまり、清掃用の不織布１５が常に装置と一体に収納されているので、わざわざ清掃用のティッシュペーパー等を探して取りに行く煩わしさもなく、コンタクトガラス２４上の汚れの清掃が疎かになることはない。
【００３８】
次に、本発明の第２実施形態について、図４を参照しながら説明する。図４は第２実施形態の画像読取装置が搭載された画像形成装置におけるコンタクトガラス上の汚れの清掃に至る処理動作を示すフローチャートである。本第２実施形態の特徴は、第１実施形態において、画質の品位が低下した原稿画像の取得、ひいてはその画質低下の画像の印刷を最小限に抑えるように図った点にある。
【００３９】
つまり本実施形態では、図４に示すように、先ずは、原稿押さえ２８が閉じられ且つコンタクトガラス２４上に原稿が無い状態において、ステップ＃５で、コンタクトガラス２４上の汚れの有無を検出するための汚れ検出モードに移行する。この移行のタイミングについては、操作キー２５からの入力を起点にしてもよいし、画像形成装置１００の起動中における適時に自動で移行されることも可能である。
【００４０】
次いでステップ＃１０で、光源１から光を照射する。その際、シートスルー方式での読取動作と同様に、第１キャリッジ８が画像読取位置Ｒの直下に位置するとともに、第２キャリッジ９が所定位置に保持されたまま、所定時間の照射が維持されて、原稿押さえ２８の内面の一部である白基準板３６に光が与えられる。これと同時に、ステップ＃１５で、白基準板３６からの反射光を、光学系である第１〜第３ミラー３〜５、及び鏡胴内６のレンズ群を通じて、固体撮像部７で受光し、ステップ＃２０でコンタクトガラス２４上の汚れの有無が検出される。つまり、ステップ＃２０では、コンタクトガラス２４上に汚れとなる異物が付着していた場合には取得の画像に黒スジが生じるため、実質この黒スジの有無が検出されることになる。
【００４１】
ここで、汚れの無しが検出された場合は、そのまま処理を終える。一方、汚れの有りが検出された場合は、ステップ＃２５に進んで、その旨を使用者に対して報知し、コンタクトガラス２４上の清掃の必要性があることを促す。この報知の方法は、液晶表示部２６に表示させたり、警告音を鳴らしたりすることが好ましい。また、不織布１５が収納されているポケット１６の蓋１７が自動的に開くようにしてもよい。そして、処理を終える。
【００４２】
なお、上記の説明では、コンタクトガラス２４上の汚れのうち、シートスルー方式の読み取りの際に用いられる画像読取位置Ｒ上のものを検出対象としているが、勿論それ以外の原稿固定方式の読み取りの際に用いられる領域の汚れに対しても対応可能である。その場合、ステップ＃１０において、第１，第２キャリッジ８，９が原稿固定方式の読取動作と同様に往復移動しながら光源１が光を照射するとともに、ステップ＃２０において、原稿押さえ２８の内面からの反射光を固体撮像部７で受光し、取得の画像の黒い点を検出すれば足りる。
【００４３】
このようにして、コンタクトガラス２４上の汚れの清掃の必要性が報知されるため、例え使用者が気付かない程度の画質の品位低下に対しても、適正なタイミングで清掃を行うことができ、その結果、画質の品位が低下した原稿画像の取得を最小限に抑えることが可能になる。
【００４４】
その他本発明は上記の各実施形態に限定されず、本発明の趣旨を逸脱しない範囲で、種々の変更が可能である。例えば、ポケット１６に収納される清掃部材としては、不織布１５に限らず、スポンジ等であっても構わない。また、ポケット１６の配設場所は、使用者が取り出し易い場所であれば、原稿押さえ２８に限らず、例えば、画像読取側ハウジング２１の側面等であってもよい。
【産業上の利用可能性】
【００４５】
本発明は、原稿の画像を読み取る画像読取装置に有用である。
【図面の簡単な説明】
【００４６】
【図１】本発明の第１実施形態の画像読取装置が搭載された画像形成装置の要部外観を示す斜視図である。
【図２】第１実施形態である画像形成装置の内部構成を示す縦断面図である。
【図３】第１実施形態の画像読取装置の原稿押さえの外観を示す斜視図である。
【図４】本発明の第２実施形態の画像読取装置が搭載された画像形成装置におけるコンタクトガラス上の汚れの清掃に至る処理動作を示すフローチャートである。
【符号の説明】
【００４７】
１    光源
３    第１ミラー（光学系）
４    第２ミラー（光学系）
５    第３ミラー（光学系）
６    鏡胴（光学系）
７    固体撮像部
１５    不織布（清掃部材）
１６    ポケット（収納部）
１７    蓋
２０    画像形成側ハウジング
２１    画像読取側ハウジング
２４    コンタクトガラス
２７    原稿搬送部
２８    原稿押さえ
１００    画像形成装置
【図１】
2005117351.tif 000003
【図２】
2005117351.tif 000004
【図３】
2005117351.tif 000005
【図４】
2005117351.tif 000006